(57)【要約】【課題】容易に低いコストで給電装置の故障を防止すること。【解決手段】給電装置は、第１の交流電圧を整流することによって第１の交流電圧を第１の直流電圧に変換する変換部（１１０）と、第１の直流電圧を平滑化することによってリップル電圧を含む第２の直流電圧を生成する平滑化部（１２０）と、第２の直流電圧（Ｐ６）を監視する監視部（１３０）と、第２の直流電圧と許容電圧範囲とを比較した比較結果に基づいて平滑化部（１２０）の劣化度を判定する判定部（１４０）と、劣化度に基づいて、変換部（１１０）に入力される交流電圧を制御する入力制御部（１５０）と、を有する。【選択図】図１
2019088169.tif 000002
【特許請求の範囲】
【請求項１】
第１の交流電圧を整流することによって前記第１の交流電圧を第１の直流電圧に変換する変換部と、
前記第１の直流電圧を平滑化することによってリップル電圧を含む第２の直流電圧を生成する平滑化部と、
前記第２の直流電圧を監視する監視部と、
前記第２の直流電圧と許容電圧範囲とを比較した比較結果に基づいて前記平滑化部の劣化度を判定する判定部と、
前記劣化度に基づいて、前記変換部に入力される交流電圧を制御する入力制御部と、
を有する給電装置。
【請求項２】
前記監視部は、
予め設定された期間の中から前記第２の直流電圧の最大値を検出する最大値検出部と、
前記期間の中から前記第２の直流電圧の最小値を検出する最小値検出部と、を含み、
前記最大値検出部は、前記第２の直流電圧の最大値と前記許容電圧範囲の最大値である許容最大値とを比較して得られた第１の比較結果を出力し、
前記最小値検出部は、前記第２の直流電圧の最小値と前記許容電圧範囲の最小値である許容最小値とを比較して得られた第２の比較結果を出力し、
前記判定部は、前記第１の比較結果と前記第２の比較結果とに基づいて前記劣化度を判定する、
請求項１に記載の給電装置。
【請求項３】
前記判定部は、前記第２の直流電圧の最大値が前記許容最大値よりも大きい、かつ前記第２の直流電圧の最小値が前記許容最小値よりも小さい場合、前記平滑化部が劣化していると判定し、
前記入力制御部は、前記平滑化部が劣化していると判定された場合、前記変換部に入力される交流電圧を遮断する、
請求項２に記載の給電装置。
【請求項４】
増幅器をさらに有し、
前記増幅器は、前記第２の直流電圧を増幅し、
前記最大値検出部は、増幅された前記第２の直流電圧から前記第２の直流電圧の最大値を検出し、
前記最小値検出部は、増幅された前記第２の直流電圧から前記第２の直流電圧の最小値を検出する、
請求項２に記載の給電装置。
【請求項５】
報知制御部と報知装置をさらに有し、
前記報知制御部は、前記第２の直流電圧の最大値又は前記第２の直流電圧の最小値のいずれか一方のみが前記許容電圧範囲から外れた場合、前記報知装置に報知情報を出力させる、
請求項２に記載の給電装置。
【請求項６】
前記劣化度を第１の装置に周期的に送信する周期監視部をさらに有する、
請求項１から５のいずれか１項に記載の給電装置。
【請求項７】
前記周期監視部は、前記変換部に入力される交流電圧を遮断する遮断命令を前記第１の装置から受信した場合、遮断指示信号を前記入力制御部に送信し、
前記入力制御部は、前記遮断指示信号に基づいて前記変換部に入力される交流電圧を遮断する、
請求項６に記載の給電装置。
【請求項８】
前記第１の装置は、前記第２の直流電圧が給電される装置である、
請求項６又は７に記載の給電装置。
【請求項９】
給電装置と、
第１の装置と、
を有し、
前記給電装置は、
第１の交流電圧を整流することによって前記第１の交流電圧を第１の直流電圧に変換する変換部と、
前記第１の直流電圧を平滑化することによってリップル電圧を含む第２の直流電圧を生成する平滑化部と、
前記第２の直流電圧を監視する監視部と、
前記第２の直流電圧と許容電圧範囲とを比較した比較結果に基づいて前記平滑化部の劣化度を判定する判定部と、
前記劣化度に基づいて、前記変換部に入力される交流電圧を制御する入力制御部と、
を備える、
制御システム。
【請求項１０】
前記給電装置は、前記劣化度を前記第１の装置に周期的に送信する周期監視部をさらに有する、
請求項９に記載の制御システム。
【請求項１１】
前記第１の装置は、第２の装置に前記劣化度を送信する、
請求項９又は１０に記載の制御システム。
【発明の詳細な説明】
【技術分野】
【０００１】
本発明は、給電装置及び制御システムに関する。
【背景技術】
【０００２】
交流電圧を直流電圧に変換する給電装置であるＡＣ−ＤＣアダプタ（以下「ＡＣアダプタ」とも言う）が知られている。例えば、ＡＣアダプタは、ＰＯＮ（Ｐａｓｓｉｖｅ  Ｏｐｔｉｃａｌ  Ｎｅｔｗｏｒｋ）システムに含まれる加入者側光通信端末であるＯＮＵ（Ｏｐｔｉｃａｌ  Ｎｅｔｗｏｒｋ  Ｕｎｉｔ）に給電する。
【０００３】
ＡＣアダプタは、トランス方式とスイッチング方式に分類される。一般的にスイッチング方式を用いたほうが小型化できるため、ＯＮＵに給電するＡＣアダプタは、スイッチング方式を採用している。
【０００４】
スイッチング方式のＡＣアダプタの動作原理を説明する。スイッチング方式のＡＣアダプタでは、ダイオードブリッジと第１のコンデンサが、交流電圧を整流、平滑化して直流電圧に変換する。その後、スイッチング素子とトランスが、当該直流電圧を高周波の交流電圧に変換する。その後、ダイオードと第２のコンデンサが、当該高周波の交流電圧を整流、平滑化して直流電圧に変換する。
【０００５】
第１のコンデンサと第２のコンデンサには、大容量のアルミ電解コンデンサが採用されている。しかし、アルミ電解コンデンサでは、経年劣化等で内圧が上昇したときに圧力弁が作動する。圧力弁が作動すると、アルミ電解コンデンサ内の駆動用電解液は、アルミ電解コンデンサの外部に漏れ出し、ＡＣアダプタ内の他の部品に付着することがある。駆動用電解液が付着した他の部品は、故障しやすい。また、他の部品が故障することで、ＡＣアダプタ自体が故障することもある。さらに、駆動用電解液により複数の部品の故障又は基板のパターンの断線が発生した場合、ＡＣアダプタの修理は難しい。
【０００６】
ＡＣアダプタは、ユーザ宅で使用されることが多いので、安全面を考慮してプラスチック筐体で覆われている。そのため、ユーザは、外観からアルミ電解コンデンサの劣化度を確認できない。そこで、ユーザは、定期的にＡＣアダプタを新しいものと交換している。しかし、ＡＣアダプタの個体差によっては、劣化が早く進み、交換前に故障に至ることもある。また、ＡＣアダプタの製品寿命を超えて使用するユーザもいるため、ＡＣアダプタは、交換されずに故障に至ることもある。
【０００７】
アルミ電解コンデンサの劣化度を判定する技術が提案されている（例えば、特許文献１を参照）。例えば、特許文献１のＡＣアダプタ劣化度判定装置は、ＡＣアダプタの外部に設置され、ＡＣアダプタに接続される。ＡＣアダプタ劣化度判定装置は、外部からＡＣアダプタの劣化度を判定し、劣化度を示す判定結果を格納する。
【先行技術文献】
【特許文献】
【０００８】
【特許文献１】特開２０１６−２２０４９５号公報
【発明の概要】
【発明が解決しようとする課題】
【０００９】
上記技術では、ＡＣアダプタの劣化度を判定する度に、ＡＣアダプタ劣化度判定装置をＡＣアダプタに接続しなければならない。また、上記技術では、ＡＣアダプタが劣化度を示す判定結果を格納するためには、ＡＣアダプタの内部に判定結果を取得し格納するための新たな部品を追加しなければならない。さらに、上記技術は、劣化度を判定するだけで、ＡＣアダプタの故障を防止していない。
【００１０】
本発明の目的は、容易に低いコストで給電装置の故障を防止することである。
【課題を解決するための手段】
【００１１】
本発明の一態様に係る給電装置が提供される。給電装置は、第１の交流電圧を整流することによって前記第１の交流電圧を第１の直流電圧に変換する変換部と、前記第１の直流電圧を平滑化することによってリップル電圧を含む第２の直流電圧を生成する平滑化部と、前記第２の直流電圧を監視する監視部と、前記第２の直流電圧と許容電圧範囲とを比較した比較結果に基づいて前記平滑化部の劣化度を判定する判定部と、前記劣化度に基づいて、前記変換部に入力される交流電圧を制御する入力制御部とを有する。
【発明の効果】
【００１２】
本発明によれば、容易に低いコストで給電装置の故障を防止することができる。
【図面の簡単な説明】
【００１３】
【図１】実施の形態１のＡＣアダプタの構成を示す機能ブロック図である。
【図２】ＡＣアダプタが有するハードウェアの一部を示す図である。
【図３】電圧と時間との関係を示すグラフである。
【図４】実施の形態１の判定結果表を示す図である。
【図５】実施の形態１のＡＣアダプタが実行する処理を示すフローチャートである。
【図６】実施の形態２のＡＣアダプタの構成を示す機能ブロック図である。
【図７】実施の形態２の判定結果表を示す図である。
【図８】実施の形態２のＡＣアダプタが実行する処理を示すフローチャートである。
【図９】実施の形態３のＡＣアダプタの構成を示す機能ブロック図である。
【図１０】周期監視部が実行する処理を示すフローチャートである。
【図１１】ＯＮＵが実行する処理を示すフローチャートである。
【発明を実施するための形態】
【００１４】
以下、図面を参照しながら実施の形態を説明する。以下の実施の形態は、例にすぎず、本発明の範囲内で種々の変更が可能である。
【００１５】
実施の形態１．
図１は、実施の形態１の給電装置であるＡＣアダプタの構成を示す機能ブロック図である。ＡＣアダプタ１００は、交流（ＡＣ：Ａｌｔｅｒｎａｔｉｎｇ  Ｃｕｒｒｅｎｔ）電圧Ｐ０を直流（ＤＣ：Ｄｉｒｅｃｔ  Ｃｕｒｒｅｎｔ）電圧Ｐ６に変換する。例えば、ＡＣアダプタ１００は、直流電圧Ｐ６をＯＮＵなどの光通信端末に供給する。
【００１６】
ＡＣアダプタ１００は、変換部１１０、平滑化部１２０、監視部１３０、判定部１４０、入力制御部１５０、及び増幅器１６０を有する。
【００１７】
次に、ＡＣアダプタ１００のハードウェアの一部について説明する。
図２は、ＡＣアダプタが有するハードウェアの一部を示す図である。ＡＣアダプタ１００は、プロセッサ１０１、揮発性記憶装置１０２、及び不揮発性記憶装置１０３を有する。
【００１８】
プロセッサ１０１は、例えば、ＣＰＵ（Ｃｅｎｔｒａｌ  Ｐｒｏｃｅｓｓｉｎｇ  Ｕｎｉｔ）、又はＦＰＧＡ（Ｆｉｅｌｄ  Ｐｒｏｇｒａｍｍａｂｌｅ  Ｇａｔｅ  Ａｒｒａｙ）などである。揮発性記憶装置１０２は、ＡＣアダプタ１００の主記憶装置である。例えば、揮発性記憶装置１０２は、ＲＡＭ（Ｒａｎｄｏｍ  Ａｃｃｅｓｓ  Ｍｅｍｏｒｙ）である。不揮発性記憶装置１０３は、ＡＣアダプタ１００の補助記憶装置である。例えば、不揮発性記憶装置１０３は、ＳＳＤ（Ｓｏｌｉｄ  Ｓｔａｔｅ  Ｄｒｉｖｅ）などである。
【００１９】
監視部１３０、判定部１４０、及び入力制御部１５０は、プロセッサ１０１で実装してもよい。監視部１３０、判定部１４０、及び入力制御部１５０は、処理回路で実装してもよい。
【００２０】
図１に戻って、機能ブロックについて説明する。
変換部１１０は、ダイオードブリッジ整流部１１１、第１の平滑用コンデンサ１１２、電圧変換部１１３、及びダイオード整流部１１４を有する。変換部１１０は、ＡＣアダプタ１００に入力され、入力制御部１５０を介して供給される交流電圧Ｐ１を整流することで交流電圧Ｐ１の交流成分を含む直流電圧（すなわち、脈流電圧）Ｐ５に変換する。
【００２１】
次に、ダイオードブリッジ整流部１１１、第１の平滑用コンデンサ１１２、電圧変換部１１３、及びダイオード整流部１１４が実行する処理を詳細に説明する。
【００２２】
ダイオードブリッジ整流部１１１は、ブリッジダイオードの特性に基づいて、交流電圧Ｐ１のマイナス成分をプラス成分に変えることで交流電圧Ｐ１を整流する。ダイオードブリッジ整流部１１１は、整流後によって得られた交流成分を含む直流電圧（すなわち、脈流電圧）Ｐ２を第１の平滑用コンデンサ１１２に出力する。
【００２３】
第１の平滑用コンデンサ１１２は、電荷を溜める特性に基づいて、直流電圧Ｐ２を平滑化して直流電圧Ｐ３を出力する。第１の平滑用コンデンサ１１２は、直流電圧Ｐ３を電圧変換部１１３に出力する。
【００２４】
電圧変換部１１３は、スイッチング素子とトランスを有する。電圧変換部１１３は、直流電圧Ｐ３を高周波の交流電圧Ｐ４に変換する。電圧変換部１１３は、高周波の交流電圧Ｐ４をダイオード整流部１１４に出力する。
【００２５】
ダイオード整流部１１４は、ダイオードの特性に基づいて、高周波の交流電圧Ｐ４のマイナス成分を除去する。すなわち、ダイオード整流部１１４は、高周波の交流電圧Ｐ４を整流する。ダイオード整流部１１４は、高周波の交流電圧Ｐ４を整流することで得られた直流電圧Ｐ５を平滑化部１２０に出力する。
【００２６】
平滑化部１２０は、第２の平滑用コンデンサ１２１を含む。平滑化部１２０は、変換部１１０から供給された脈流電圧である直流電圧Ｐ５を平滑化して、平滑化された直流電圧Ｐ６を生成する。第２の平滑用コンデンサ１２１が実行する処理を詳細に説明する。
【００２７】
第２の平滑用コンデンサ１２１は、電荷を溜める特性に基づいて、ダイオード整流部１１４が出力した脈流電圧である直流電圧Ｐ５から平滑化された直流電圧Ｐ６を生成する。平滑化された直流電圧Ｐ６には、リップル電圧が含まれている。第２の平滑用コンデンサ１２１は、平滑化された直流電圧Ｐ６を出力する。例えば、第２の平滑用コンデンサ１２１は、平滑化された直流電圧Ｐ６をＯＮＵに出力する。
【００２８】
監視部１３０は、リップル電圧を含む直流電圧Ｐ６を監視する。また、監視部１３０は、最大値検出部１３１と最小値検出部１３２とを含む。例えば、最大値検出部１３１と最小値検出部１３２とは、リセットＩＣ（Ｉｎｔｅｇｒａｔｅｄ  Ｃｉｒｃｕｉｔ）のような電圧監視ＩＣで実装してもよい。最大値検出部１３１と最小値検出部１３２の機能については、後で詳細に説明する。
【００２９】
判定部１４０は、平滑化部１２０の劣化度（すなわち、第２の平滑用コンデンサ１２１の劣化度）を判定する。判定部１４０の機能については、後で詳細に説明する。
【００３０】
入力制御部１５０は、判定部１４０の判定結果に基づいて変換部１１０に入力される交流電圧を制御する。入力制御部１５０の機能については、後で詳細に説明する。
増幅器１６０は、直流電圧Ｐ６を増幅する。増幅器１６０については、後で詳細に説明する。なお、増幅器１６０は、ＡＣアダプタ１００に含まれていなくてもよい。
【００３１】
図３は、電圧と時間との関係を示すグラフである。図３に示すグラフの縦方向は、電圧を示す。図３に示すグラフの横軸は、時間を示す。第２の平滑用コンデンサ１２１から出力されるリップル電圧を含む直流電圧Ｐ６の代表値（例えば、平均値又は中央値など）である電圧値をＥ０とする。波形４００は、リップル電圧を含む直流電圧Ｐ６を示している。図３では、リップル電圧を含む直流電圧Ｐ６のピークピーク値をＥｐｐで表している。
【００３２】
波形４０１は、ダイオードブリッジ整流部１１１から出力された脈流電圧である直流電圧Ｐ２を示している。
【００３３】
直線４０２と直線４０３とは、ピークピーク値Ｅｐｐの許容電圧範囲を示している。すなわち、直線４０２は、許容電圧範囲の最大値である許容最大値を示している。例えば、許容最大値は、電圧値Ｅ０よりも大きい値が設定される。直線４０３は、許容電圧範囲の最小値である許容最小値を示している。例えば、許容最小値は、電圧値Ｅ０よりも小さい値が設定される。
【００３４】
第２の平滑用コンデンサ１２１の平滑化の能力は、第２の平滑用コンデンサ１２１の静電容量が経年劣化等で低下した場合、低下する。リップル電圧のピークピーク値Ｅｐｐは、第２の平滑用コンデンサ１２１の平滑化の能力が低下した場合、大きくなる。第２の平滑用コンデンサ１２１の劣化度、第２の平滑用コンデンサ１２１の静電容量、及びピークピーク値Ｅｐｐには、相関関係がある。そのため、劣化度に応じた許容電圧範囲は、シミュレーションで算出できる。許容電圧範囲は、揮発性記憶装置１０２又は不揮発性記憶装置１０３に予め格納されている。または、許容電圧範囲は、電源監視ＩＣの特性を用いて電気的に検出される。
【００３５】
図４は、実施の形態１の判定結果表を示す図である。判定結果表１０４は、揮発性記憶装置１０２又は不揮発性記憶装置１０３に格納されている。判定結果表１０４は、入力情報、出力情報、及び判定結果の項目を含む。入力情報Ａは、最大値検出部１３１から判定部１４０に入力される情報である。入力情報Ｂは、最小値検出部１３２から判定部１４０に入力される情報である。出力情報Ｃは、判定部１４０が出力する情報である。判定部１４０は、入力情報Ａ及びＢに基づいて出力情報Ｃを生成する。出力情報Ｃは、入力制御部１５０に入力される。入力情報Ａ、入力情報Ｂ、及び出力情報Ｃは、図１に示されている。
【００３６】
監視部１３０は、予め設定された期間、リップル電圧を含む直流電圧Ｐ６を監視する。最大値検出部１３１と最小値検出部１３２は、当該期間の中からリップル電圧を含む直流電圧Ｐ６の最大値と最小値を検出する。なお、最大値は、最大の電圧を持つ１個のピーク電圧であるが、複数のピーク電圧の代表値（例えば、平均値）であってもよい。最小値は、最小の電圧を持つ１個のボトム電圧であるが、複数のボトム電圧の代表値（例えば、平均値）であってもよい。
【００３７】
また、ＡＣアダプタ１００の内部構成によっては、ピークピーク値Ｅｐｐが非常に小さく、リップル電圧を含む直流電圧Ｐ６の最大値と最小値の検出が困難な場合がある。このような場合、例えば、ＡＣアダプタ１００の内部には、オペアンプのような増幅器１６０が設置される。最大値検出部１３１と最小値検出部１３２は、増幅器１６０によってリップル電圧を含む直流電圧Ｐ６を増幅されることで直流電圧Ｐ６の最大値と最小値を検出できるようになる。また、最大値検出部１３１と最小値検出部１３２は、リップル電圧を含む直流電圧Ｐ６を或る増幅率で増幅させた場合、例えば、直流電圧Ｐ６の増幅率に応じて許容電圧範囲を広げてもよい。
【００３８】
最大値検出部１３１は、リップル電圧を含む直流電圧Ｐ６の最大値が許容最大値（図３の場合は、直線４０２）以下の場合、Ｌｏｗレベル（すなわち“０”）を設定した入力情報Ａを判定部１４０に出力する。また、最大値検出部１３１は、リップル電圧を含む直流電圧Ｐ６の最大値が許容最大値よりも大きい場合、Ｈｉｇｈレベル（すなわち“１”）を設定した入力情報Ａを判定部１４０に出力する。
【００３９】
最小値検出部１３２は、リップル電圧を含む直流電圧Ｐ６の最小値が許容最小値（図３の場合は、直線４０３）以上の場合、Ｈｉｇｈレベル（すなわち“１”）を設定した入力情報Ｂを判定部１４０に出力する。また、最小値検出部１３２は、リップル電圧を含む直流電圧Ｐ６の最小値が許容電圧範囲の最小値よりも小さい場合、Ｌｏｗレベル（すなわち“０”）を設定した入力情報Ｂを判定部１４０に出力する。
【００４０】
判定部１４０は、リップル電圧を含む直流電圧Ｐ６と許容電圧範囲とを比較した比較結果に基づいて平滑化部１２０の劣化度を判定する。すなわち、判定部１４０は、入力情報Ａと入力情報Ｂに基づいて、第２の平滑用コンデンサ１２１の劣化度を判定する。例えば、判定部１４０は、判定結果表１０４を用いて、第２の平滑用コンデンサ１２１の劣化度を判定することができる。
【００４１】
判定部１４０は、入力情報Ａが“０”、入力情報Ｂが“０”の場合、第２の平滑用コンデンサ１２１が軽劣化していると判定する。判定部１４０は、判定結果を出力情報Ｃに設定する。例えば、判定部１４０は、判定結果として、“０”を出力情報Ｃに設定する。判定部１４０は、出力情報Ｃを入力制御部１５０に出力する。
【００４２】
判定部１４０は、入力情報Ａが“１”、入力情報Ｂが“０”の場合、第２の平滑用コンデンサ１２１が劣化していると判定する。判定部１４０は、判定結果を出力情報Ｃに設定する。例えば、判定部１４０は、判定結果として、“１”を出力情報Ｃに設定する。判定部１４０は、出力情報Ｃを入力制御部１５０に出力する。
【００４３】
判定部１４０は、入力情報Ａが“０”、入力情報Ｂが“１”の場合、第２の平滑用コンデンサ１２１が正常であると判定する。判定部１４０は、判定結果を出力情報Ｃに設定する。例えば、判定部１４０は、判定結果として、“０”を出力情報Ｃに設定する。判定部１４０は、出力情報Ｃを入力制御部１５０に出力する。
【００４４】
判定部１４０は、入力情報Ａが“１”、入力情報Ｂが“１”の場合、第２の平滑用コンデンサ１２１が軽劣化していると判定する。判定部１４０は、判定結果を出力情報Ｃに設定する。例えば、判定部１４０は、判定結果として、“０”を出力情報Ｃに設定する。判定部１４０は、出力情報Ｃを入力制御部１５０に出力する。
このように、判定部１４０は、入力情報Ａと入力情報Ｂに基づいて、第２の平滑用コンデンサ１２１の劣化度を判定できる。
【００４５】
入力制御部１５０は、劣化度に基づいて、変換部１１０に入力される交流電圧を制御する。入力制御部１５０の機能について、詳細に説明する。入力制御部１５０は、出力情報Ｃが“１”を示している場合、スイッチ機能又はヒューズを用いて、交流電圧の入力を遮断する。なお、入力制御部１５０は、ダイオードブリッジ整流部１１１、第１の平滑用コンデンサ１１２、又はダイオード整流部１１４の直前位置で電力供給経路を遮断する手段であってもよい。このように、入力制御部１５０は、電力供給経路を遮断することで、ＡＣアダプタ１００の動作を停止させることができる。
【００４６】
次に、ＡＣアダプタ１００が実行する処理についてフローチャートを用いて説明する。
図５は、実施の形態１のＡＣアダプタが実行する処理を示すフローチャートである。
（ステップＳ１１）監視部１３０は、予め設定された期間、リップル電圧を含む直流電圧Ｐ６を監視する。
【００４７】
（ステップＳ１２）最大値検出部１３１は、予め設定された期間の中からリップル電圧を含む直流電圧Ｐ６の最大値を検出する。最大値検出部１３１は、リップル電圧を含む直流電圧Ｐ６の最大値が許容最大値以上であるか否かを判定する。最大値検出部１３１は、判定結果を入力情報Ａに設定する。最大値検出部１３１は、入力情報Ａを判定部１４０に出力する。
【００４８】
最小値検出部１３２は、予め設定された期間の中からリップル電圧を含む直流電圧Ｐ６の最小値を検出する。最小値検出部１３２は、リップル電圧を含む直流電圧Ｐ６の最小値が許容最小値以下であるか否かを判定する。最小値検出部１３２は、判定結果を入力情報Ｂに設定する。最小値検出部１３２は、入力情報Ｂを判定部１４０に出力する。
【００４９】
（ステップＳ１３）判定部１４０は、入力情報Ａと入力情報Ｂに基づいて、第２の平滑用コンデンサ１２１の劣化度を判定する。
【００５０】
（ステップＳ１４）判定部１４０は、劣化度に基づく判定結果を出力情報Ｃに設定する。判定部１４０は、出力情報Ｃを入力制御部１５０に出力する。
【００５１】
（ステップＳ１５）入力制御部１５０は、第２の平滑用コンデンサ１２１が劣化しているか否かを判定する。すなわち、入力制御部１５０は、出力情報Ｃが“１”を示しているか否かを判定する。
第２の平滑用コンデンサ１２１が劣化している場合（ステップＳ１５でＹｅｓ）、入力制御部１５０は、処理をステップＳ１６に進める。第２の平滑用コンデンサ１２１が劣化していない場合（ステップＳ１５でＮｏ）、入力制御部１５０は、処理を終了する。
【００５２】
（ステップＳ１６）入力制御部１５０は、スイッチ機能又はヒューズを用いて、交流電圧の入力を遮断する。
【００５３】
ＡＣアダプタ１００は、ＡＣアダプタ１００の内部で劣化度を判定する。そのため、ユーザは、ＡＣアダプタ１００の劣化度を判定する度に、劣化度を判定する装置をＡＣアダプタ１００の外部に設置しなくてよい。すなわち、劣化度の判定は、ユーザに負担を与えることなく容易に測定できる。
【００５４】
劣化度の情報は、ＡＣアダプタ１００の外部に格納されておらず、ＡＣアダプタ１００の内部に格納されている。そのため、ＡＣアダプタ１００は、ＡＣアダプタ１００の内部に、劣化度を取得するための部品を新たに追加しなくてよい。そのため、ＡＣアダプタ１００を、低いコストで実現できる。
【００５５】
ＡＣアダプタ１００は、第２の平滑用コンデンサ１２１が劣化している場合、交流電圧Ｐ１の入力を遮断するので、第２の平滑用コンデンサ１２１の状態が悪化することを防止する。ＡＣアダプタ１００は、第２の平滑用コンデンサ１２１の状態が悪化することを防止することで、第２の平滑用コンデンサ１２１内の駆動用電解液が外部に漏れることを防止できる。ＡＣアダプタ１００は、第２の平滑用コンデンサ１２１内の駆動用電解液が外部に漏れることを防止できるので、ＡＣアダプタ１００の故障を防止できる。
よって、実施の形態１によれば、ＡＣアダプタ１００は、容易に低いコストでＡＣアダプタ１００の故障を防止することができる。
【００５６】
実施の形態２．
次に、実施の形態２を説明する。実施の形態１と相違する事項を主に説明し、共通する事項の説明を省略する。
実施の形態１のＡＣアダプタ１００は、第２の平滑用コンデンサ１２１が劣化している場合、交流電圧Ｐ１の変換部１１０への入力を遮断し、ＡＣアダプタ１００の故障を防止した。実施の形態２のＡＣアダプタ１００ａは、第２の平滑用コンデンサ１２１の劣化度を段階的に確認する。
【００５７】
図６は、実施の形態２のＡＣアダプタの構成を示す機能ブロック図である。ＡＣアダプタ１００ａは、判定部１４０ａ、報知制御部１７０、及びＬＥＤ１７１を有する。図１に示される構成と同じ、又は対応する図６の構成は、図１に示される符号と同じ符号を付している。実施の形態２では、図１から図３を参照する。
【００５８】
判定部１４０ａは、第２の平滑用コンデンサ１２１の劣化度を報知制御部１７０に通知する。報知制御部１７０は、第２の平滑用コンデンサ１２１の劣化度に基づいて、ＬＥＤ１７１を点灯する。なお、報知制御部１７０は、プロセッサ１０１で実装してもよい。報知制御部１７０は、処理回路で実装してもよい。
【００５９】
図７は、実施の形態２の判定結果表を示す図である。判定結果表１０４ａは、揮発性記憶装置１０２又は不揮発性記憶装置１０３に格納されている。判定結果表１０４ａは、入力情報、出力情報、及び判定結果の項目を含む。入力情報Ａは、最大値検出部１３１から判定部１４０ａに入力される情報である。入力情報Ｂは、最小値検出部１３２から判定部１４０ａに入力される情報である。出力情報Ｃは、判定部１４０ａが出力する情報である。出力情報Ｄは、判定部１４０ａが出力する情報である。出力情報Ｄは、報知制御部１７０に入力される。
判定部１４０ａは、入力情報Ａと入力情報Ｂに基づいて、第２の平滑用コンデンサ１２１の劣化度を判定する。
【００６０】
判定部１４０ａは、入力情報Ａが“０”、入力情報Ｂが“０”の場合、第２の平滑用コンデンサ１２１が軽劣化していると判定する。判定部１４０は、判定結果を出力情報Ｃに設定する。例えば、判定部１４０ａは、判定結果として、“０”を出力情報Ｃに設定する。判定部１４０ａは、出力情報Ｃを入力制御部１５０に出力する。判定部１４０は、判定結果を出力情報Ｄに設定する。例えば、判定部１４０ａは、判定結果として、“１”を出力情報Ｄに設定する。判定部１４０ａは、出力情報Ｄを報知制御部１７０に出力する。
【００６１】
判定部１４０ａは、入力情報Ａが１、入力情報Ｂが“０”の場合、第２の平滑用コンデンサ１２１が劣化していると判定する。判定部１４０は、判定結果を出力情報Ｃに設定する。例えば、判定部１４０ａは、判定結果として、“１”を出力情報Ｃに設定する。判定部１４０ａは、出力情報Ｃを入力制御部１５０に出力する。判定部１４０は、判定結果を出力情報Ｄに設定する。例えば、判定部１４０ａは、判定結果として、“０”を出力情報Ｄに設定する。判定部１４０ａは、出力情報Ｄを報知制御部１７０に出力する。
【００６２】
判定部１４０ａは、入力情報Ａが“０”、入力情報Ｂが“１”の場合、第２の平滑用コンデンサ１２１が正常であると判定する。判定部１４０は、判定結果を出力情報Ｃに設定する。例えば、判定部１４０ａは、判定結果として、“０”を出力情報Ｃに設定する。判定部１４０ａは、出力情報Ｃを入力制御部１５０に出力する。判定部１４０は、判定結果を出力情報Ｄに設定する。例えば、判定部１４０ａは、判定結果として、“０”を出力情報Ｄに設定する。判定部１４０ａは、出力情報Ｄを報知制御部１７０に出力する。
【００６３】
判定部１４０ａは、入力情報Ａが“１”、入力情報Ｂが“１”の場合、第２の平滑用コンデンサ１２１が軽劣化していると判定する。判定部１４０は、判定結果を出力情報Ｃに設定する。例えば、判定部１４０ａは、判定結果として、“０”を出力情報Ｃに設定する。判定部１４０ａは、出力情報Ｃを入力制御部１５０に出力する。判定部１４０は、判定結果を出力情報Ｄに設定する。例えば、判定部１４０ａは、判定結果として、“１”を出力情報Ｄに設定する。判定部１４０ａは、出力情報Ｄを報知制御部１７０に出力する。
【００６４】
報知制御部１７０は、出力情報Ｄが１の場合、ＬＥＤ１７１を点灯する。すなわち、報知制御部１７０は、第２の平滑用コンデンサ１２１が軽劣化の場合、ＬＥＤ１７１を点灯する。
【００６５】
次に、ＡＣアダプタ１００ａが実行する処理についてフローチャートを用いて説明する。
図８は、実施の形態２のＡＣアダプタが実行する処理を示すフローチャートである。
（ステップＳ２１）監視部１３０は、予め設定された期間、リップル電圧を含む直流電圧Ｐ６を監視する。
【００６６】
（ステップＳ２２）最大値検出部１３１は、予め設定された期間の中からリップル電圧を含む直流電圧Ｐ６の最大値を検出する。最大値検出部１３１は、リップル電圧を含む直流電圧Ｐ６の最大値が許容電圧範囲の最大値以上であるか否かを判定する。最大値検出部１３１は、判定結果を入力情報Ａに設定する。最大値検出部１３１は、入力情報Ａを判定部１４０ａに出力する。
【００６７】
最小値検出部１３２は、予め設定された期間の中からリップル電圧を含む直流電圧Ｐ６の最小値を検出する。最小値検出部１３２は、リップル電圧を含む直流電圧Ｐ６の最小値が許容電圧範囲の最小値以下であるか否かを判定する。最小値検出部１３２は、判定結果を入力情報Ｂに設定する。最小値検出部１３２は、入力情報Ｂを判定部１４０ａに出力する。
【００６８】
（ステップＳ２３）判定部１４０ａは、入力情報Ａと入力情報Ｂに基づいて、第２の平滑用コンデンサ１２１の劣化度を判定する。
【００６９】
（ステップＳ２４）判定部１４０ａは、判定結果を出力情報Ｄに設定する。判定部１４０ａは、出力情報Ｄを報知制御部１７０に出力する。
また、判定部１４０ａは、判定結果を出力情報Ｃに設定する。判定部１４０ａは、出力情報Ｃを入力制御部１５０に出力する。なお、入力制御部１５０は、出力情報Ｃが１を示している場合、交流電圧の入力を遮断する。
【００７０】
（ステップＳ２５）報知制御部１７０は、第２の平滑用コンデンサ１２１が軽劣化しているか否かを判定する。すなわち、報知制御部１７０は、出力情報Ｄが１を示しているか否かを判定する。
第２の平滑用コンデンサ１２１が軽劣化している場合（ステップＳ２５でＹｅｓ）、報知制御部１７０は、処理をステップＳ２６に進める。第２の平滑用コンデンサ１２１が軽劣化していない場合（ステップＳ２５でＮｏ）、報知制御部１７０は、処理を終了する。
【００７１】
（ステップＳ２６）報知制御部１７０は、ＬＥＤ１７１を点灯する。
これにより、ユーザは、ＬＥＤ１７１の点灯を視認することで、第２の平滑用コンデンサ１２１が軽劣化していることを認識できる。また、ＡＣアダプタ１００ａは、ユーザが軽劣化していることを認識することでＡＣアダプタ１００ａが動作を停止する前に交換を促すことになるので、ＡＣアダプタ１００ａの故障を未然に防止できる。
【００７２】
監視部１３０、判定部１４０ａ、報知制御部１７０、及びＬＥＤ１７１は、ＡＣアダプタ１００ａの出力端に備えた外付けの装置に設置されてもよい。これにより、外付けの装置は、第２の平滑用コンデンサ１２１の劣化度をＡＣアダプタ１００ａの外部で判定できる。外付けの装置が有する報知制御部１７０は、第２の平滑用コンデンサ１２１が劣化している場合、ＬＥＤ１７１を点灯する。報知制御部１７０は、第２の平滑用コンデンサ１２１が劣化している場合と軽劣化している場合のＬＥＤ１７１の点灯色を変える。
【００７３】
報知制御部１７０は、第２の平滑用コンデンサ１２１が軽劣化している場合、ＬＥＤ１７１を点滅させてもよい。報知制御部１７０は、第２の平滑用コンデンサ１２１が軽劣化している場合、音声で通知してもよい。例えば、報知制御部１７０は、第２の平滑用コンデンサ１２１が軽劣化している場合、警告音を発生させる。この場合、ＬＥＤ１７１は、スピーカに変更される。
【００７４】
報知制御部１７０は、第２の平滑用コンデンサ１２１が軽劣化している場合、ＡＣアダプタ１００ａに設置されたディスプレイに、第２の平滑用コンデンサ１２１が軽劣化していることを表示してもよい。この場合、ＬＥＤ１７１は、ディスプレイに変更される。
実施の形態２によれば、ＡＣアダプタ１００ａは、ＬＥＤ１７１などの報知装置で、第２の平滑用コンデンサ１２１が軽劣化していることをユーザに認識させるための報知情報を出力する。なお、例えば、報知装置は、ＬＥＤ１７１、スピーカ、又はディスプレイなどである。報知情報は、光、音、画像表示、振動、電波送信などにより出力される。
【００７５】
実施の形態３．
次に、実施の形態３を説明する。実施の形態２と相違する事項を主に説明し、共通する事項の説明を省略する。
実施の形態２のＡＣアダプタ１００ａは、第２の平滑用コンデンサ１２１が軽劣化している場合、ＬＥＤ１７１を点灯した。しかし、ユーザがＬＥＤ１７１を確認しない場合、ユーザは、第２の平滑用コンデンサ１２１が軽劣化したことに気付かない可能性もある。実施の形態３のＡＣアダプタ１００ｂは、第２の平滑用コンデンサ１２１が軽劣化したことを、管理者に通知する。また、管理端末３００は、ＡＣアダプタ１００ｂの動作を停止させる。
【００７６】
図９は、実施の形態３のＡＣアダプタの構成を示す機能ブロック図である。ＡＣアダプタ１００ｂは、ＯＮＵ２００と接続する。ＡＣアダプタ１００ｂは、直流電圧をＯＮＵ２００に給電する。また、ＯＮＵ２００は、管理端末３００と接続する。なお、ＯＮＵ２００は、第１の装置とも言う。管理端末３００は、第２の装置とも言う。
【００７７】
ＡＣアダプタ１００ｂは、判定部１４０ｂと周期監視部１８０を有する。図１、６に示される構成と同じ、又は対応する図９の構成は、図１及び６に示される符号と同じ符号を付している。実施の形態３では、図１〜３、６、及び７を参照する。
【００７８】
判定部１４０ｂは、入力情報Ａと入力情報Ｂに基づいて、第２の平滑用コンデンサ１２１の劣化度を判定する。入力情報Ａと入力情報Ｂは、最大値検出部１３１と最小値検出部１３２が出力した情報である。
判定部１４０ｂは、判定結果を設定した出力情報Ｃを入力制御部１５０に出力する。判定部１４０ｂは、判定結果を設定した出力情報Ｄを報知制御部１７０に出力する。判定部１４０ｂは、判定結果を設定した出力情報Ｅを周期監視部１８０に送信する。判定部１４０ｂは、判定結果を周期監視部１８０に通知する処理以外は判定部１４０ａと同じである。
【００７９】
周期監視部１８０は、判定結果を周期的にＯＮＵ２００に送信する。例えば、周期監視部１８０は、ＵＳＢ（Ｕｎｉｖｅｒｓａｌ  Ｓｅｒｉａｌ  Ｂｕｓ）インタフェースを用いて、判定結果を周期的にＯＮＵ２００に送信する。なお、周期監視部１８０は、プロセッサ１０１で実装してもよい。周期監視部１８０は、処理回路で実装してもよい。
【００８０】
ＯＮＵ２００は、劣化監視部２１０と送受信部２２０とを有する。例えば、劣化監視部２１０は、ＵＳＢインタフェースを用いて、周期監視部１８０と接続する。劣化監視部２１０は、周期監視部１８０から受信した判定結果を送受信部２２０に送信する。送受信部２２０は、判定結果を管理端末３００に送信する。劣化監視部２１０と送受信部２２０とは、管理端末３００からＡＣアダプタ１００ｂの遮断命令Ｆを受信した場合、入力制御部１５０に、変換部１１０に入力される交流電圧を遮断させる。
なお、劣化監視部２１０と送受信部２２０は、ＯＮＵ２００が有するプロセッサで実装してもよい。劣化監視部２１０と送受信部２２０は、処理回路で実装してもよい。
【００８１】
次に、周期監視部１８０が実行する処理についてフローチャートを用いて説明する。
図１０は、周期監視部が実行する処理を示すフローチャートである。
【００８２】
（ステップＳ３１）周期監視部１８０は、判定結果が設定された出力情報Ｅを判定部１４０ｂから受信する。判定結果は、第２の平滑用コンデンサ１２１の劣化度（すなわち、正常、軽劣化、劣化のいずれか）を示す。
【００８３】
（ステップＳ３２）周期監視部１８０は、判定結果をＯＮＵ２００に送信する。
【００８４】
（ステップＳ３３）周期監視部１８０は、遮断命令ＦをＯＮＵ２００から受信したか否かを判定する。遮断命令Ｆを受信した場合（ステップＳ３３でＹｅｓ）、周期監視部１８０は、処理をステップＳ３４に進める。遮断命令Ｆを受信していない場合（ステップＳ３３でＮｏ）、周期監視部１８０は、処理を終了する。
【００８５】
（ステップＳ３４）周期監視部１８０は、遮断指示信号Ｇを入力制御部１５０に送信する。入力制御部１５０は、遮断指示信号（Ｇ）に基づいて、スイッチ機能又はヒューズを用いて、変換部１１０に入力される交流電圧を遮断する。これにより、入力制御部１５０は、ＡＣアダプタ１００ｂの動作を停止させる。
【００８６】
次に、ＯＮＵ２００が実行する処理についてフローチャートを用いて説明する。
図１１は、ＯＮＵが実行する処理を示すフローチャートである。
（ステップＳ４１）劣化監視部２１０は、判定結果をＡＣアダプタ１００ｂから受信する。
【００８７】
（ステップＳ４２）劣化監視部２１０は、判定結果の送信を送受信部２２０に依頼する。
【００８８】
（ステップＳ４３）送受信部２２０は、判定結果を管理端末３００に送信する。これにより、管理端末３００を使用する管理者は、第２の平滑用コンデンサ１２１の劣化度を確認することができる。
【００８９】
（ステップＳ４４）送受信部２２０は、遮断命令Ｆを管理端末３００から受信したか否かを判定する。遮断命令Ｆを受信した場合（ステップＳ４４でＹｅｓ）、送受信部２２０は、処理をステップＳ４５に進める。遮断命令Ｆを受信していない場合（ステップＳ４４でＮｏ）、送受信部２２０は、処理を終了する。
【００９０】
（ステップＳ４５）送受信部２２０は、遮断命令Ｆの送信を劣化監視部２１０に依頼する。
【００９１】
（ステップＳ４６）劣化監視部２１０は、遮断命令ＦをＡＣアダプタ１００ｂに送信する。
【００９２】
例えば、管理端末３００を使用する管理者は、判定結果を視認し、第２の平滑用コンデンサ１２１が軽劣化していることを認識する。管理端末３００は、ＯＮＵ２００を介して、ＡＣアダプタ１００ｂの動作を停止させる。これにより、遠隔にいる管理者は、ＡＣアダプタ１００ｂの動作を停止させることができる。
【００９３】
実施の形態３によれば、ＡＣアダプタ１００ｂは、ＯＮＵ２００を介して、第２の平滑用コンデンサ１２１の劣化度を管理端末３００に通知することができる。また、管理端末３００は、ＯＮＵ２００を介して、ＡＣアダプタ１００ｂの動作を停止させることができる。
【００９４】
以上に説明した各実施の形態における特徴は、互いに適宜組み合わせることができる。
【符号の説明】
【００９５】
１００，１００ａ，１００ｂ  ＡＣアダプタ（給電装置）、  １１０  変換部、  １１１  ダイオードブリッジ整流部、  １１２  第１の平滑用コンデンサ、  １１３  電圧変換部、  １１４  ダイオード整流部、  １２０  平滑化部、  １２１  第２の平滑用コンデンサ、  １３０  監視部、  １３１  最大値検出部、  １３２  最小値検出部、  １４０，１４０ａ，１４０ｂ  判定部、  １５０  入力制御部、  １６０  増幅器、  １７０  報知制御部、  １７１  ＬＥＤ（報知装置）、  １８０  周期監視部、  ２００  ＯＮＵ（第１の装置）、  ２１０  劣化監視部、  ２２０  送受信部、  ３００  管理端末（第２の装置）
【図１】
2019088169.tif 000003
【図２】
2019088169.tif 000004
【図３】
2019088169.tif 000005
【図４】
2019088169.tif 000006
【図５】
2019088169.tif 000007
【図６】
2019088169.tif 000008
【図７】
2019088169.tif 000009
【図８】
2019088169.tif 000010
【図９】
2019088169.tif 000011
【図１０】
2019088169.tif 000012
【図１１】
2019088169.tif 000013